(57)【要約】【課題】簡単な構造で、販売データ処理装置の本体部上に、比較的大きな仮置きスペースを有する販売データ処理装置を提供する。【解決手段】販売データ処理装置は、販売データ処理装置の本体部と、本体部に設けられた、商品に関する登録情報を表示する、店員用表示部と、本体部に設けられ、店員用表示部よりも前方側に配置されたキー操作部と、本体部に設けられ、店員用表示部の一方の側面側の位置に設けられたプリンタとを有する。販売データ処理装置の本体部は、プリンタの排紙口よりも前方側の領域を含み、当該領域からキー操作部のプリンタ側の端部まで延設され、キー操作部よりも横幅の大きい仮置き収納部を有する。【選択図】図２
2019194799.tif 000002
【特許請求の範囲】
【請求項１】
販売データ処理装置の本体部と、
前記本体部に設けられた、商品に関する登録情報を表示する、店員用表示部と、
前記本体部に設けられ、前記店員用表示部よりも前方側に配置されたキー操作部と、
前記本体部に設けられ、前記店員用表示部の一方の側面側の位置に設けられたプリンタと、を有し、
前記本体部は、前記プリンタの排紙口よりも前方側の領域を含み、当該領域から前記キー操作部の前記プリンタ側の端部まで延設され、前記キー操作部よりも横幅の大きい仮置き収納部を有する
ことを特徴とする販売データ処理装置。
【請求項２】
前記仮置き収納部は、前記キー操作部の操作面よりも低い位置に設けられ、正面から背面側に向かって傾斜した傾斜面部を有することを特徴とする請求項１に記載の販売データ処理装置。
【請求項３】
前記キー操作部は、前記店員用表示部の横幅よりも短い横幅であり、前記キー操作部の左右端部のうちプリンタ側の端部が、前記店員用表示部の左右両端部の間に位置することを特徴とする請求項１又は請求項２に記載の販売データ処理装置。
【請求項４】
前記仮置き収納部の横幅は、前記プリンタの排紙口から排出される用紙の横幅よりも大きく、かつ、当該仮置き収納部の奥行きは、前記キー操作部の奥行き幅と略同一であることを特徴とする請求項１から請求項３の何れか１項に記載の販売データ処理装置。
【請求項５】
前記本体部は、前記仮置き収納部及び前記キー操作部よりも正面側の全部又は一部分に平坦面部を有し、前記平坦面部に金属板を備えることを特徴とする請求項１から請求項４の何れか１項に記載の販売データ処理装置。
【請求項６】
前記仮置き収納部は、前記平坦面部を含むことを特徴とする請求項５に記載の販売データ処理装置。
【請求項７】
販売データ処理装置の前記本体部は、背面壁部に設けられた開口部を有し、
前記本体部の前記開口部を介して、前記本体部内に収容自在に、且つ水平方向に移動自在に設けられた、制御基板を保持する制御基板ケースを備え、
前記制御基板ケースは、前記本体部の背面側に設けられた前記開口部を覆うケース背面壁部を有し、
前記ケース背面壁部は、少なくとも、前記本体部に設けられた前記キー操作部、前記店員用表示部の一方又は両方に接続用ケーブルを介して接続可能なコネクタを有し、
前記本体部の背面壁部は、前記制御基板ケースの前記ケース背面壁部の移動経路と重ならない位置に、前記接続用ケーブルを保持するケーブル保持部を有する
ことを特徴とする請求項１から請求項６の何れか１項に記載の販売データ処理装置。
【請求項８】
前記ケーブル保持部は、前記販売データ処理装置の前記本体部の背面壁部の前記開口部よりも上方位置に設けられていることを特徴とする請求項７に記載の販売データ処理装置。
【発明の詳細な説明】
【技術分野】
【０００１】
本発明は、販売データ処理装置に関する。
【背景技術】
【０００２】
ホームセンターなどで、従業員は様々な業務の合間に、ＰＯＳ端末（販売データ処理装置）を使った業務（顧客が購入する商品の登録や精算など）を行う。他作業からＰＯＳ端末を使った精算業務等へ移る際に、他作業で使用していた道具（業務道具等）をどこかへ仮置きすることを要する。
【先行技術文献】
【特許文献】
【０００３】
【特許文献１】意匠登録第１３４２３８６号公報
【発明の概要】
【発明が解決しようとする課題】
【０００４】
しかしながら、一般的なＰＯＳ端末では、商品登録や精算に関連する構成要素を有するため、他作業で利用していた道具（業務道具等）を、ＰＯＳ端末の本体上に仮置きする場所がない、又は仮置きする場所の面積が比較的小さく、使い勝手や作業性が良好でない場合がある（例えば、特許文献１に記載の金銭登録機等参照）。
【０００５】
ところで、一般的なＰＯＳ端末（金銭登録機）では、そのＰＯＳ端末の筐体（本体部）と、制御基板などを収容する制御基板ケースとが、コネクタや接続ケーブルを介して接続又は分離可能に構成されている。
しかしながら、ＰＯＳ端末の筐体（本体部）と、制御基板ケースとを分離させる時、コネクタや接続ケーブル等が分離の邪魔になり、メンテナンス性が良好でない。
【課題を解決するための手段】
【０００６】
本発明に係る販売データ処理装置は、少なくとも以下の構成を具備する。
販売データ処理装置は、販売データ処理装置の本体部と、
前記本体部に設けられた、商品に関する登録情報を表示する、店員用表示部と、
前記本体部に設けられ、前記店員用表示部よりも前方側に配置されたキー操作部と、
前記本体部に設けられ、前記店員用表示部の一方の側面側の位置に設けられたプリンタと、を有し、
前記本体部は、前記プリンタの排紙口よりも前方側の領域を含み、当該領域から前記キー操作部の前記プリンタ側の端部まで延設され、前記キー操作部よりも横幅の大きい仮置き収納部を有する。
【発明の効果】
【０００７】
本発明によれば、簡単な構造で、販売データ処理装置の本体部上に、比較的大きな仮置きスペースを有する販売データ処理装置を提供することができる。
【図面の簡単な説明】
【０００８】
【図１】本発明の実施形態に係る販売データ処理装置の一例を示す斜視図である。
【図２】図１に示す販売データ処理装置の一使用例を示す図である。
【図３】図１に示した販売データ処理装置の一例を示す正面図である。
【図４】販売データ処理装置の一例を示す背面図である。
【図５】本発明の実施形態に係る販売データ処理理装置の一例を示す側面図である。
【図６】本発明の実施形態に係る販売データ処理装置の断面の一例を示す概念図である。
【図７】本発明の実施形態に係る販売データ処理装置の一例を示す上面図である。
【図８】本発明の実施形態に係る販売データ処理装置の背面側からの斜視図である。
【図９】本発明の実施形態に係る販売データ処理装置の一例を示す図、（ａ）は背面図、（ｂ）は下斜め後方からの斜視図である。
【図１０】本発明の実施形態に係る販売データ処理装置のケーブル保持部の一例を示す図であり、（ａ）は上側からの斜視図、（ｂ）は底側からの斜視図、（ｃ）は側面の概念図である。
【図１１】本発明の実施形態に係る販売データ処理装置の動作の一例を示す図であり、（ａ）は販売データ処理装置の筐体部に制御基板ケースが収容され、接続用ケーブルのコネクタが制御基板ケースのコネクタに接続されている状態の一例を示す図、（ｂ）は販売データ処理装置の制御基板ケースのコネクタから、接続用ケーブルが取り外され、コード保持部に接続用コードを収容した状態の一例を示す図、（ｃ）は販売データ処理装置の本体部から制御基板ケースを取り外した状態の一例を示す図である。
【図１２】本発明の実施形態に係る販売データ処理装置の電気的な機能ブロックの一例を示す図である。
【図１３】本発明の一実施形態に係る販売データ処理装置の一例を示す概念図であり、（ａ）は斜視図、（ｂ）は上面図である。
【発明を実施するための形態】
【０００９】
本発明の実施形態に係る販売データ処理装置（商品販売データ処理装置ともいう）は、販売データ処理装置の本体部と、本体部に設けられた、商品に関する登録情報を表示する、店員用表示部と、本体部に設けられ、店員用表示部よりも前方側に配置されたキー操作部と、本体部に設けられ、店員用表示部の一方の側面側の位置に設けられたプリンタと、を有する。販売データ処理装置の本体部は、プリンタの排紙口よりも前方側の領域を含み、当該領域から前記キー操作部の前記プリンタ側の端部まで延設され、前記キー操作部よりも横幅の大きい仮置き収納部を有する。
【００１０】
以下、本発明の実施形態の一例を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１１】
本発明の一実施形態に係る販売データ処理装置１００は、例えば、商品の商取引に関するデータ処理装置であり、詳細には、商品に関する商品情報、金額、商品コード、顧客により購入された商品の登録情報等に関する処理を行う。
図１〜図８に示すように、本発明の一実施形態に係る販売データ処理装置の本体部１００ａは、キー操作部１５、店員用表示部としての店員用操作表示部１６、客用表示部１７、プリンタ１８、仮置き収納部３０、本体部１００ａの平坦面部１００ｆに設けられた金属板１００ｐ、スポンジ受けに配置されたスポンジＳＰ（水分含有）等を有する。
図１、図２において、右斜め下側を「前（手前側）」、左斜め上を「後（背面側）」、右斜め上を「右（右側）」、左斜め下を「左（左側）」として示している。
【００１２】
販売データ処理装置１００の本体部１００ａの略中央部には、店員用操作表示部１６（店員用表示部）が設けられており、店員用操作表示部１６は本体部１００ａ上に柱状の支持部１６ｂで支持されている。本実施形態では、店員用操作表示部１６は、タッチパネル表示装置であるが、表示機能のみ有する表示装置であってもよい。店員用操作表示部１６は、例えば、商品情報（商品名、商品コード、商品の金額等）、商品の登録情報（顧客による商品の購入履歴情報等）などを表示する。店員用操作表示部１６は、規定の仰角範囲内で画面部分が傾斜可能に構成されている。また、店員用操作表示部１６は、正面（前方）を基準方向として左右に規定の角度範囲内で回転可能に構成されている。本実施形態では、店員用操作表示部１６は、画面の仰角が１５°程度で、正面（前方）に向けて設定されている。
【００１３】
また、本体部１００ａは、店員用操作表示部１６よりも後ろ側の位置に、客用表示部１７が設けられている。客用表示部１７は、柱状の支持部１７ｂで支持されている。客用表示部１７は、顧客（客）に対して、購入した商品の合計金額などの情報を表示する。
客用表示部１７は、規定の仰角範囲内で画面部分が傾斜可能に、また、正面（前方）を基準方向として左右に規定の角度範囲内で回転可能に構成されている。本実施形態では、客用表示部１７は、画面の仰角が０°で、背面（後方）に向けて設定されている。
【００１４】
また、本実施形態では、販売データ処理装置１００の本体部１００ａにおいて、店員用操作表示部１６の一方の側面側（左側）の位置にプリンタ１８が設けられている。
プリンタ１８は、例えば、顧客により購入された商品等の商品情報や合計金額等を印字したレシート、領収書、クーポン券などの用紙を発行する。
本実施形態では、プリンタ１８の排紙口１８ｈは、店員用操作表示部１６の下端部と略同じ高さ位置に配置されており、用紙の排紙方向は正面方向（前方）である。プリンタ１８の排紙口１８ｈの僅かに下方には、用紙の排出方向に所定距離（数ｃｍ程度）だけ突出した突出保持部１８ｓが設けられている。突出保持部１８ｓは、プリンタ１８から排紙された用紙を一時的に保持し、操作者の指により用紙を把持しやすいように構成されている。
【００１５】
キー操作部１５は、本体部１００ａ上に設けられ、店員用操作表示部１６よりも前方側に配置されている。
本実施形態では、キー操作部１５は、メカキー（ハードウェアキー又はハードキーともいう）により構成されている。また、一般的なＰＯＳ端末装置では、８０〜９０個程度のメカキーを有するが、本実施形態では、キー操作部１５は、２０〜４０個程度のメカキー、好ましくは３５個程度のメカキーを有する。直感的な操作を可能とするように、操作に必要な有効メカキーのみを備えており、操作者が操作に困った場合であっても滞りがでないような構成となっている。詳細には、キー操作部１５は、数字キー（１キー、２キー、…、９キー、０キー、００キー）、小計キー、現計キー、クリアキー、個キー、商品登録キー、などを有する。
また、本実施形態では、販売データ処理装置１００の店員用操作表示部１６は、商品の登録処理時、必要に応じてキー操作部１５以外の機能を有するキーを操作可能に表示するように構成されているので、キー操作部１５の操作キー数を一般的なＰＯＳ端末よりも低減した構造となっている。
【００１６】
キー操作部１５の右側には、磁気カードなどのカード情報を読み取るカードリーダＣＲが設けられている。
【００１７】
本発明の実施形態では、図３に示したように、店員用操作表示部１６は、所定の横幅１６Ｌｘ、所定の縦長さ１６Ｌｚに形成されている。本実施形態では、縦長さ１６Ｌｚよりも横幅１６Ｌｘが長い。
キー操作部１５は、店員用操作表示部１６の横幅１６Ｌｘよりも短い横幅１５Ｌｘに規定されている。また、キー操作部１５の左右端部のうちプリンタ側の端部１５ａが、店員用操作表示部１６の左右両端部の間に位置するように配置されている（図３参照）。
【００１８】
販売データ処理装置１００の本体部１００ａは、プリンタ１８の排紙口１８ｈよりも前方側に、排紙口１８ｈよりも低い高さの略平坦な領域又は傾斜した領域３８（図１、図７に示す点線で囲まれる領域）を有する。本体部１００ａは、その領域３８からキー操作部１５のプリンタ側の端部１５ａまで延設された、比較的大きな領域の仮置き収納部３０（図１，図７に示す２点鎖線で囲まれる領域）を有する。
仮置き収納部３０には、例えば、コードリーダ９０ａ（９０）、ステープラ９０ｂ（９０）、ペン９０ｃ（９０）、他作業で利用していた道具（業務道具等）、小物、備品、金銭、貨幣などの物品９０を比較的多く、容易に仮置きすることができる構造となっている（図２参照）。
また、本実施形態では、図６に示すように、仮置き収納部３０は、キー操作部１５の操作面１５ｓよりも低い位置に設けられ、正面から背面側に向かって傾斜した傾斜面部３０ｔを有する。また、本実施形態では、本体部１００ａの略中央付近に本体部１００ａの仮置き収納部３０の後端部が位置しており、その位置に壁部３０ｋが設けられている。
【００１９】
また、本実施形態では、販売データ処理装置１００の本体部１００ａは、プリンタ１８の排紙口１８ｈの直下に、凹部３０ｅが設けられており、印鑑９０ｄ（９０）、スタンプなどの物品９０を配置可能な構造を有する。
【００２０】
図１、図３に示したように、本実施形態では、プリンタ１８の排紙口１８ｈよりも前方側に設けられた領域３８は横幅３８Ｌｘ（左右方向の幅）は所定長さに規定されている。仮置き収納部３０の横幅３０Ｌｘは、その横幅３８Ｌｘよりも大きい長さに規定されている。
また、本実施形態では、仮置き収納部３０の横幅３０Ｌｘは、キー操作部１５の横幅１５Ｌｘよりも長くなるように設定されている。
また、店員用操作表示部１６の一方端部（プリンタ側端部）から、仮置き収納部３０の端部（キー操作部側の端部）までの長さｄＬｘは、店員用操作表示部１６の横幅１６Ｌｘよりも小さく、横幅１６Ｌｘの１０％〜５０％の範囲、好ましくは、２０％〜４０％、より好ましくは３２％〜３３％程度の範囲内の数値であってもよい。
【００２１】
また、販売データ処理装置１００の本体部１００ａは、仮置き収納部３０及びキー操作部１５よりも正面側の全部又は一部分に平坦面部１００ｆを有し、平坦面部１００ｆに金属板１００ｐを備える。また、平坦面部１００ｆと仮置き収納部３０が連設されているので、平坦面部１００ｆを仮置きの領域として用いてもよい。
【００２２】
また、販売データ処理装置１００の本体部１００ａの前面左端部付近には、貨幣、クーポン券等の用紙を一時的に挟持可能な挟持部９が設けられている。
【００２３】
また、図１、図２、図３、図４、図８に示すように、販売データ処理装置１００の背面部底部には、カバーＣＶが着脱自在に設けられており、カバーＣＶを取り外すと、図９に示すように、コネクタｃが露出する。
詳細には、図９は販売データ処理装置１００の一例を示す図であり、詳細には図９（ａ）は背面図、図９（ｂ）は下斜め後方からの斜視図である。
【００２４】
本発明の実施形態に係る販売データ処理装置１００は、本体部１００ａと、制御部が収容された制御基板ケースとが分離可能に構成されている。
【００２５】
図１０は販売データ処理装置１００のケーブル保持部の一例を示す図である。詳細には、図１０（ａ）は上側からの斜視図、図１０（ｂ）は底側からの斜視図、図１０（ｃ）は側面の概念図である。
図１１は販売データ処理装置１００の動作の一例を示す図である。図１０（ａ）は販売データ処理装置の筐体部に制御基板ケースが収容され、接続用ケーブルのコネクタが制御基板ケースのコネクタに接続されている状態の一例を示す図、（ｂ）は販売データ処理装置の制御基板ケースのコネクタから、接続用ケーブルが取り外され、コード保持部に接続用コードを収容した状態の一例を示す図、（ｃ）は販売データ処理装置の本体部から制御基板ケースを取り外した状態の一例を示す図である。
図１２は本発明の実施形態に係る販売データ処理装置の電気的な機能ブロックの一例を示す図である。
【００２６】
販売データ処理装置１００の本体部１００ａは、背面壁部１００ａｗに開口部１００ｈを有する（図１１参照）。販売データ処理装置１００は、この本体部１００ａの開口部１００ｈを介して、本体部１００ａ内に収容自在に、且つ水平方向に移動自在に設けられた、制御基板１１０を保持する制御基板ケース１５０を備える。
制御基板ケース１５０は、本体部１００ａの背面側に設けられた開口部１００ｈを覆うケース背面壁部１５０ｗを有する。ケース背面壁部１５０ｗは、少なくとも、本体部１００ａに設けられたキー操作部１５、店員用表示部（店員用操作表示部１６）の一方又は両方に接続用ケーブル８を介して接続可能なコネクタｃを有する（図９、図１１等参照）。本体部１００ａの背面壁部１００ａｗは、制御基板ケース１５０のケース背面壁部１５０ｗの移動経路と重ならない位置に、接続用ケーブル８を保持するケーブル保持部７を有する（図９、図１０、図１１等参照）。
詳細には、ケーブル保持部７は、販売データ処理装置１００の本体部１００ａの背面壁部１００ａｗの開口部１００ｈよりも上方位置に設けられている。
【００２７】
ケーブル保持部７は、販売データ処理装置１００の本体部１００ａの背面壁部１００ａｗに接続、固定される端部７ａから延出し、断面略Ｌ字形状に形成され、先端部７ｃが上方に向けて延出した形状に形成されている（図１０参照）。また、ケーブル保持部７は、接続用ケーブル８やその先端に設けられているコネクタ８ｃが、ケーブル保持部７から落ち難い構造となっている。
また、図１０に示すように、ケーブル保持部７には、１つ又は複数の切欠部７ｕが設けられており、接続用ケーブル８をケーブル保持部７から取り出すときに、切欠部７ｕから指を入れて、接続用ケーブル８を取り出しやすい形状に形成されている。
【００２８】
図１２に示すように、本発明の実施形態に係る販売データ処理装置１００は、制御部１１（ＣＰＵ）と、ＲＯＭ、ＲＡＭ、ストレージ等の記憶部１２（記憶手段）と、上位管理装置（コンピュータ）と有線式又は無線式の通信路を介してデータ通信可能な通信部１３と、インタフェース１４（Ｉ／Ｆ）と、キー操作部１５（ハードキー）、店員用操作表示部１６、客用表示部１７、プリンタ１８などを有する。
本実施形態では、制御部１１（ＣＰＵ）と、記憶部１２（記憶手段）と、通信部１３と、インタフェース１４（Ｉ／Ｆ）とは、バスなどの通信線２０を介して接続されている。
また、本実施形態では、制御基板１１０に、制御部１１（ＣＰＵ）、記憶部（記憶手段）１２、通信部１３、インタフェース１４（Ｉ／Ｆ）などが設けられている。制御基板１１０は、制御基板ケース１５０内に収容されている。
キー操作部１５（ハードキー）、店員用操作表示部１６、客用表示部１７、プリンタ１８などは、販売データ処理装置１００の本体部１００ａに設けられており、各接続用ケーブル８やその先端に設けられているコネクタ８ｃを介して、それぞれに対応するコネクタｃ（制御基板ケース１５０の背面に設けられているコネクタ）に着脱自在に設けられている。
【００２９】
販売データ処理装置１００の本体部１００ａ（筐体）から、制御基板ケース１５０を取り外す動作の一例を説明する。
【００３０】
図１１（ａ）に示すように、販売データ処理装置１００の本体部１００ａに設けられた、キー操作部１５（ハードキー）、店員用操作表示部１６、客用表示部１７、プリンタ１８などは、販売データ処理装置１００の本体部１００ａの背面壁部１００ａｗ、又は背面壁部１００ａｗ付近に設けられたケーブル用の開口部１００ｈａ（図９（ｂ）、図１１参照）を通って、接続用ケーブル８及びコネクタ８ｃにより、制御基板ケース１５０に設けられたコネクタｃに電気的に接続されている。
【００３１】
図１１（ｂ）に示したように、例えば、メンテナンス時、販売データ処理装置１００の本体部１００ａ（筐体）の背面部の開口部１００ｈから、制御基板ケース１５０を取り外す際に、まず、制御基板ケース１５０のコネクタｃから、接続用ケーブル８及びコネクタ８ｃを分離させる。
しかしながら、本体部１００ａから制御基板ケース１５０を水平に引き出す際に、接続用ケーブル８の冗長な部分が邪魔になるので、接続用ケーブル８やコネクタ８ｃをケーブル保持部７上に移動させ、ケーブル保持部７により、接続用ケーブル８やコネクタ８ｃを保持させる。
【００３２】
次に、図１１（ｃ）に示したように、販売データ処理装置１００の本体部１００ａ（筐体）の背面側の開口部１００ｈから、制御基板ケース１５０を取り外し、所定のメンテナンス等を行う。
【００３３】
制御基板ケース１５０を、販売データ処理装置１００の本体部１００ａ（筐体）へ収納する場合には、上述した工程を逆順に行うことで、図１１（ｂ）、図１１（ａ）に示したように、制御基板ケース１５０を、販売データ処理装置１００の本体部１００ａ（筐体）に収納され、制御基板ケース１５０のコネクタｃに、接続用ケーブル８やコネクタ８ｃを接続させる。
【００３４】
以上、説明したように、本発明の実施形態に係る販売データ処理装置１００（ＰＯＳ端末、又は金銭登録機ともいう）は、販売データ処理装置１００の本体部１００ａ（筐体）と、本体部１００ａに設けられた、商品に関する登録情報を表示する、店員用表示部（店員用操作表示部１６）と、本体部１００ａに設けられ、店員用表示部（店員用操作表示部１６）よりも前方側に配置されたキー操作部１５と、本体部１００ａに設けられ、店員用表示部（店員用操作表示部１６）の一方の側面側の位置に設けられたプリンタ１８とを有する。販売データ処理装置１００の本体部１００ａは、プリンタ１８の排紙口１８ｈよりも前方側の領域３８を含み、当該領域３８からキー操作部１５のプリンタ側の端部１５ａまで延設され、キー操作部１５よりも横幅の大きい仮置き収納部３０を有する。
つまり、一般的なＰＯＳ端末と比較して、キー操作部１５の横幅を短くし、店員用操作表示部１６に重なる部分にまで、仮置き収納部３０の収納スペースが延設されているので、仮置き収納部３０に、物品を多数、容易に仮置きしておくことができる。
【００３５】
詳細には、販売データ処理装置１００の本体部１００ａの仮置き収納部３０および領域３８は、プリンタ１８からレシート等の用紙が排紙される排紙口１８ｈの位置よりも、低い位置に設けられている。操作者は、プリンタ１８の排紙口１８ｈよりも前方側の領域３８が、排紙口よりも低い位置に設けられているので、プリンタ１８の排紙口１８ｈから排紙されるレシートなどの用紙を、容易に把持しやすい。また、本実施形態では、プリンタ１８の排紙口１８ｈよりも僅かに低い位置に、排紙口１８ｈから排出される用紙の排出方向に突出した突出保持部１８ｓが設けられているので、操作者は、プリンタ１８の排紙口１８ｈから排紙されるレシートなどの用紙を、容易に把持しやすい。
また、仮置き収納部３０は、プリンタ１８の排紙口１８ｈよりも前方側の領域３８を含み、当該領域３８からキー操作部１５のプリンタ側の端部１５ａまで延設された比較的大きな領域を有するので、コードリーダ９０ａ、他作業で利用していた道具（業務道具等）、小物、ペン、ステープラ、備品、金銭などの物品を多数、容易に仮置きしておくことができる。
すなわち、簡単な構造で、販売データ処理装置１００の本体部１００ａ上に、比較的大きな仮置きスペースとしての仮置き収納部３０を有する販売データ処理装置１００を提供することができる。
【００３６】
なお、仮置き収納部３０は、業務用道具などの物品を仮置きすることができれば、上述した実施形態に限られるものではなく、例えば、引き出し構造であってもよいし、箱形状であってもよいし、本体部１００ａの任意の部分にあってもよい。
また、キー操作部１５は、上述した実施形態では、メカキー（ハードキー）であったが、この実施形骸に限られるものではなく、タッチパネル表示装置（表示装置とキー操作部を兼ね備える）に表示されるソフトキーであってもよい。
【００３７】
また、本発明の実施形態に係る販売データ処理装置１００の本体部１００ａに設けられた仮置き収納部３０は、キー操作部１５の操作面１５ｓよりも低い位置に設けられ、正面から背面側に向かって傾斜した傾斜面部３０ｔを有する。
すなわち、簡単な構造で、仮置き収納部３０の傾斜面部３０ｔ上に載置された業務用道具、小物、ペン、ステープラ、バーコードリーダ（２次元コードリーダ）等が、販売データ処理装置１００の本体部１００ａ外の手前側に転がり落ちることを防止することができ、仮置き収納部３０は長時間それらを保持することができる。
また、本実施形態では、本体部１００ａの仮置き収納部３０の後端部には、壁部３０ｋが設けられており、この壁部３０ｋは、本体部１００ａの略中央位置に設けられているので、仮置き収納部３０の傾斜面部３０ｔ上に載置された業務用道具、小物、ペン、ステープラ、バーコードリーダ（２次元コードリーダ）等を、本体部１００ａ外へ移動させることなく、長時間その載置位置に保持することができる。
【００３８】
また、本発明の実施形態に係る販売データ処理装置１００のキー操作部１５は、店員用表示部（店員用操作表示部１６）の横幅よりも短い横幅であり、キー操作部１５の左右端部のうちプリンタ１８側の端部１５ａが、店員用表示部（店員用操作表示部１６）の左右両端部の間に位置するように構成されている。
すなわち、仮置き収納部３０の収納スペースが大きく、仮置き収納部３０に、物品を多数、容易に仮置きしておくことができる。
【００３９】
また、本発明の実施形態に係る販売データ処理装置１００の仮置き収納部３０の横幅（左右方向の長さ）は、プリンタ１８の排紙口１８ｈから排出される用紙の横幅、具体的には、例えば、プリンタ１８から発行されるレシートやクーポン券等の横幅よりも大きく、かつ、仮置き収納部３０の奥行き（前後方向の長さ）は、キー操作部１５の奥行き幅と略同一となるように構成されている。
すなわち、簡単な構造で、仮置き収納部３０の収納スペースが大きく、仮置き収納部３０に、物品を多数、容易に仮置きしておくことができる。
【００４０】
また、本発明の実施形態に係る販売データ処理装置１００の本体部１００ａは、仮置き収納部３０及びキー操作部１５よりも正面側の全部又は一部分に平坦面部１００ｆを有し、平坦面部１００ｆに金属板１００ｐを備える。
すなわち、金属板１００ｐ上に貨幣、紙幣などの金銭を仮置きすることができ、本体部１００ａが傷つき難い。
また、本実施形態では、平坦面部１００ｆと仮置き収納部３０が連設されているので、平坦面部１００ｆを仮置きの領域として用いてもよい。
また、平坦面部１００ｆの金属板１００ｐ上で、領収書等に筆記してもよい。
【００４１】
また、本発明の実施形態に係る販売データ処理装置１００の仮置き収納部３０は、平坦面部１００ｆを含む。すなわち、平坦面部１００ｆを含めた広い領域を、仮置き収納部３０として使用することもできる。
【００４２】
また、本発明の実施形態に係る販売データ処理装置１００の本体部１００ａは、背面壁部１００ａｗに開口部１００ｈを有する。販売データ処理装置１００は、この本体部１００ａの開口部１００ｈを介して、本体部１００ａ内に収容自在に、且つ水平方向に移動自在に設けられた、制御基板１１０を保持する制御基板ケース１５０を備える。
制御基板ケース１５０は、本体部１００ａの背面側に設けられた開口部１００ｈを覆うケース背面壁部１５０ｗを有する。ケース背面壁部１５０ｗは、少なくとも、本体部１００ａに設けられたキー操作部１５、店員用表示部（店員用操作表示部１６）の一方又は両方に接続用ケーブル８を介して接続可能なコネクタｃを有する。本体部１００ａの背面壁部１００ａｗは、制御基板ケース１５０のケース背面壁部１５０ｗの移動経路と重ならない位置に、接続用ケーブル８を保持するケーブル保持部７を有する。
すなわち、簡単な構造で、販売データ処理装置１００の本体部１００ａ（筐体）と、制御基板ケース１５０とを分離させる時、接続用ケーブル８や接続用ケーブルの先端部のコネクタ８ｃ等をケーブル保持部７で保持することで、販売データ処理装置１００の本体部１００ａ（筐体）と制御基板ケース１５０とを容易に分離させることができ、メンテナンス性が良好である。
また、販売データ処理装置１００の本体部１００ａ（筐体）に、制御基板ケース１５０を挿入し組み込む場合、ケーブル保持部７が、接続用ケーブル８や接続用ケーブルの先端部のコネクタ８ｃ等を保持しているので、容易に制御基板ケース１５０を本体部１００ａ内に挿入することができる。
【００４３】
また、販売データ処理装置１００は、本体部１００ａ（筐体）の開口部１００ｈから本体部１００ａ（筐体）内に、制御基板ケース１５０を水平方向にスライドしながら着脱自在な構造となっていてもよい。
【００４４】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４５】
なお、キー操作部は、上述した実施形態に限られるものではなく、例えば、キー操作部１５は、数字キーとファンクションキーを有する。数字キーは、同時に２つのキーを押下する可能性を下げるため、キートップの面積が比較的小さく、その他のファンクションキーは、キートップに機能名などの文字情報が表示されるため、キートップの面積が比較的大きく、形成されていてもよい。
【００４６】
また、キー操作部１５は、販売データ処理装置の本体部に対して着脱可能なメカキーであってもよい。キー操作部１５は、例えば、３５個のキーを有するキー操作部、８４個のキーを有するキー操作部など、任意のキーの個数のキー操作部を準備しておき、操作形態等に応じて、所望のキー操作部を販売データ処理装置１００の本体部１００ａに着脱自在に設けてもよい。
【００４７】
また、制御基板ケース１５０は、制御基板ケース１５０を本体部１００ａから容易に引き出すため、ケースの背面側に突起部１５０ｔ（つまみ）が設けられていてもよい。
また、制御基板ケース１５０は、側面部に水平方向に突起した突起部を有していてもよいし、販売データ処理装置１００の本体部１００ａ（筐体部）の内側面部には、その突起部を水平方向にガイドするガイド部を有していてもよい。
【００４８】
ところで、特許文献１に記載のＰＯＳ端末（金銭登録機）では、店員用ディスプレイの前面側に、キーボードが配置されており、店員用ディスプレイ横幅とキーボードの横幅が略同じである。店員用ディスプレイの横側には、レシートなどが配置されるプリンタが設けられている。プリンタの前面側には、金銭を一時的に配置する吟味台が設けられている。しかしながら、ＰＯＳ端末（金銭登録機）の本体の吟味台に、業務道具等を仮置きする場合、スペースが比較的小さく、使い勝手や作業性が良好でない場合がある。
また、特許文献１に記載のＰＯＳ端末（金銭登録機）では、店員用ディスプレイとキーボードとの間に、小物、備品置き部分があるが、小さいスペースであり、比較的大きな業務道具などを仮置きし難いという問題がある。
また、プリンタの前方側のスペースに、業務道具等を仮置きした場合、例えば、プリンタから排紙されるレシートが業務道具等に接触する、プリンタから排紙されるレシート等を受け取り難い、などの問題がある。
本発明によれば、簡単な構造で、メンテナンス性の良好な販売データ処理装置を提供することができる。
【００４９】
また、本発明の一実施形態に係る販売データ処理装置１００は、図１３（ａ）、図１３（ｂ）に示すように、店員用表示部（店員用操作表示部１６）の前側にキー操作部（ハードウェアキー）やスポンジ受け、スポンジ等を取り除き、仮置き収納部３０をさらに広くした態様であってもよい。図１３（ａ）、図１３（ｂ）に示す例では、操作者（オペレータ）による操作入力は、販売データ処理装置１００の店員用表示部（店員用操作表示部１６）のタッチパネルを使って行われる。キー操作部（ハードウェアキー）が不要となるため、仮置き収納部３０の面積を広げることができる。
また、販売データ処理装置１００は、仮置き収納部３０の所定の位置に、キー操作部が着脱自在に設けられる構造となっていてもよい。
また、異なるサイズのキー操作部を複数用意し、適宜、販売データ処理装置１００の仮置き収納部３０の所定の位置に、１つ又は複数のキー操作部が着脱自在に設けられていてもよい。
【符号の説明】
【００５０】
７…ケーブル保持部
８…接続用ケーブル
８ｃ…コネクタ
１１…制御部（ＣＰＵ）
１２…記憶部
１３…通信部
１４…インタフェース（Ｉ／Ｆ）
１５…キー操作部
１５ａ…（キー操作部のプリンタ側の端部）
１５ｓ…操作面
１６…店員用操作表示部（表示部又は操作表示部）
１７…客用表示部
１８…プリンタ（印字部）
１８ｈ…排紙口
３０…仮置き収納部
３０ｋ…壁部
３０ｔ…傾斜面部
３８…領域（プリンタの排紙口よりも前方側に設けられた領域）
１００…販売データ処理装置（商品販売データ処理装置）
１００ａ…本体部
１００ａｗ…背面壁部
１００ｆ…平坦面部
１００ｈ…開口部
１００ｈａ…開口部
１００ｐ…金属板
１５０…制御基板ケース
１５０ｗ…ケース背面壁部
ｃ…コネクタ
【図１】
2019194799.tif 000003
【図２】
2019194799.tif 000004
【図３】
2019194799.tif 000005
【図４】
2019194799.tif 000006
【図５】
2019194799.tif 000007
【図６】
2019194799.tif 000008
【図７】
2019194799.tif 000009
【図８】
2019194799.tif 000010
【図９】
2019194799.tif 000011
【図１０】
2019194799.tif 000012
【図１１】
2019194799.tif 000013
【図１２】
2019194799.tif 000014
【図１３】
2019194799.tif 000015